(57)【要約】【課題】  吐出管の基端が水栓本体の中央に左右首振り自在に枢支されると共に、調節レバーが水栓本体の中央上部に設けられた混合栓であって、湯・水が流れ出る吐出管の先端下方と、温度・流量調節レバーの間で、手を直線状に上方・下方へ移動させることができ、手洗い中にレバーの操作を容易かつスムースに行うことができる混合栓を提供することを目的とする。【解決手段】  吐出管１の基端10が、水栓本体２に左右首振り自在に取付けられている。吐出管１は、その先端11を手前へ向けた首振りの基本姿勢において、平面的に見て、基端10寄りの基幹管部15を左方に振ると共に、基幹管部15の先端側が、折曲部12を介して、先端11を手前へ延伸状とした延伸管部16に一体に連設されている。【選択図】  図１
0003114218.tif 000002
【実用新案登録請求の範囲】
【請求項１】
吐出管（１）の基端（10）が、水栓本体（２）に左右首振り自在に取付けられた混合栓に於て、
該吐出管（１）は、その先端（11）を手前へ向けた上記首振りの基本姿勢において、平面的に見て、基端（10）寄りの基幹管部（15）を左右どちらか一方に振ると共に、該基幹管部（15）の先端側が、折曲部（12）を介して、先端（11）を手前へ延伸状とした延伸管部（16）に一体に連設されて構成されていることを特徴とする混合栓。
【請求項２】
吐出管（１）の基端（10）が、水栓本体（２）に左右首振り自在に取付けられた混合栓に於て、
該吐出管（１）は、その先端（11）を手前へ向けた上記首振りの基本姿勢において、中間（14）から先端（11）にかけての延伸管部（16）の軸心（Ｌ16）が、平面的に見て上記基端（10）の回転中心（Ｏ）を通る鉛直面（Ｐ0 ）に対して所定寸法（ε）だけ左右どちらか一方に偏心した鉛直面（Ｐ1 ）上に存在することを特徴とする混合栓。
【考案の詳細な説明】
【技術分野】
【０００１】
本考案は、台所の流し等で使用される混合栓に関するものである。
【背景技術】
【０００２】
従来から知られている（壁付き）混合栓として、図５に示したように、水栓本体32の中央位置に立設状の胴部35の上端に、温度・流量調節レバー33が手前に向いて取付けられ、かつ、水栓本体32の胴部35の手前突出部に、吐出管31が、その基端30を左右首振り自在として立設状とすると共に手前に振って、先端34に延伸状の延伸管部36と一体に連設したものがある。
【考案の開示】
【考案が解決しようとする課題】
【０００３】
この従来の混合栓を平面的に見ると、吐出管31の延伸管部36が、レバー33とほぼ重なる配置になるので、吐出管31の先端34下方で手を洗っている状態から、レバー33へと手を移して温度調節等の操作をするときには、手を、矢印Ｚのように、吐出管31の延伸管部36に対して左右どちらかへ大きく避けなければならず、非常に面倒である。
そこで、本考案は、湯・水が流れ出る吐出管の先端下方と、温度・流量調節レバーの間を、手が真っ直ぐに移動できて、手洗い中にレバー操作を容易かつスムースに行うことができる混合栓を提供することを目的とする。
【課題を解決するための手段】
【０００４】
上記の目的を達成するために、本考案に係る混合栓は、吐出管の基端が、水栓本体に左右首振り自在に取付けられ、該吐出管は、その先端を手前へ向けた上記首振りの基本姿勢において、平面的に見て、基端寄りの基幹管部を左右どちらか一方に振ると共に、該基幹管部の先端側が、折曲部を介して、先端を手前へ延伸状とした延伸管部に一体に連設されて構成されている。
【０００５】
また、本考案に係る混合栓は、吐出管の基端が、水栓本体に左右首振り自在に取付けられ、該吐出管は、その先端を手前へ向けた上記首振りの基本姿勢において、中間から先端にかけての延伸管部の軸心が、平面的に見て上記基端の回転中心を通る鉛直面に対して所定寸法だけ左右どちらか一方に偏心した鉛直面上に存在する。
【考案の効果】
【０００６】
本考案は、次のような著大な効果を奏する。
本考案に係る混合栓は、左右首振り自在の吐出管が、その先端を手前へ向けた首振りの基本姿勢において、平面的に見て、水栓本体に接続した基端寄りの基幹管部を左右どちらか一方に振ると共に、折曲部を介して、先端を手前に延伸状とした延伸管部に一体に連設されたものなので、吐出管の先端の下方位置とレバーの間を、手が真っ直ぐに上方・下方へ移動できて、吐出管の延伸管部に対し左右に避けなくてもよい。このように、手洗い中に、容易かつスムースにレバーの操作を行うことができる。
また、吐出管は非可撓性であってその形状は一定であり、吐出管をスムースに左右へ首振りすることができると共に、様々に振った位置にて安定して使用できる。
【考案を実施するための最良の形態】
【０００７】
以下、実施の形態を示す図面に基づき、本考案を詳説する。
図１及び図２は本考案に係る混合栓の実施の一形態を示し、この混合栓は、壁面に突出状に付設された左右一対の湯・水供給連結部材（偏心管部材）６，６に接続された水栓本体２と、水栓本体２に基端10が左右首振り自在に取付けられる吐出管１と、を有する壁付き混合栓である。
水栓本体２は、連結部材６，６の手前に接続される横長状基部22の中央に立設状の胴部20の上端に、温度・流量調節レバー３が設けられ、かつ、基部22の中央手前側に突出状の支持突部23に、吐出管１の基端10が左右首振り自在に枢支される。レバー３は、手前４側に向いた状態を中心として左右首振り自在として温度調節され、かつ、略水平状乃至上傾状の範囲を揺動自在として流量調節される。
【０００８】
さらに具体的には、吐出管１は、その先端11を手前へ向けた首振りの基本姿勢において、その基端10が、水栓本体２の支持突部23から上方へ立設され、かつ、平面的に見て、基端10寄りの基幹管部15を左（あるいは右）に振ると共に、折曲部12を介して、先端11が矢印４に示す手前へ延伸状とした延伸管部16に一体に連設されている。
吐出管１の先端11には、吐出口を有する耐熱吐出部材５が付設されている。
【０００９】
次に、図３及び図４は本考案に係る混合栓の他の実施の形態を示し、この混合栓は、流し等の台に立設された水栓本体２と、水栓本体２に基端10が左右首振り自在に保持される吐出管１と、を有する（台付き）ワンホール混合栓である。
水栓本体２は、台に立設されると共に上端に温度・流量調節レバー３が設けられた円柱形状の胴部24の下側周辺部に、吐出管１の基端10が接続されて湯・水が供給される首振り円筒体８が、回転自在に外嵌されたものである。
さらに具体的には、吐出管１は、その先端11を手前へ向けた首振りの基本姿勢において、平面的に見て、首振り円筒体８の左（あるいは右）方向へ突出状として、基端10寄りの基幹管部15が接続され、かつ、折曲部12を介して、先端11側が手前４に延伸状となる延伸管部16に一体に連設されている。延伸管部16は、手前上傾状に形成されている。
【００１０】
なお、図１及び図２に示した混合栓の実施の一形態と、図３及び図４に示した混合栓の他の実施の形態は、共に、吐出管１の形状を以下のように言い換えることができる。即ち、吐出管１は、その先端11を手前へ向けた首振りの基本姿勢において、中間14から先端11にかけての延伸管部16の軸心Ｌ16が、平面的に見て基端10の回転中心Ｏを通る鉛直面Ｐ0 に対して所定寸法εだけ左右どちらか一方に偏心した鉛直面Ｐ1 上に存在するように、形成されている。
【００１１】
そして、図１，図２に於て、手を、吐出管１の先端11の下方７にかざした（手洗いの）状態から、レバー３へと移すとき、矢印のように、レバー３へ真っ直ぐに上方・下方へ移すことができ、図５のように吐出管１の延伸管部16に対し左右に大きく避ける必要がない。手を吐出管１の先端11の下方７へ移す場合にも、矢印の反対方向へと、真っ直ぐに移すことができる。このように、図５に示した従来の混合栓に比べ、手洗い中に温度・流量調節をする際の無駄な動きを省くことができ、レバー３の操作を容易かつスムースに行うことができる。
図３，図４に示した他の実施の形態の混合栓についても、手を、吐出管１の先端11の下方７から、レバー３へと真っ直ぐに移すことができ、左右への無駄な動きを省いて、レバー３の操作を容易かつスムースに行うことができる。
また、吐出管１は非可撓性であってその形状は一定であり、スムースに左右へ首振りすることができる。そして、首を振った位置で、安定して使用できる。
【００１２】
以上のように、本考案に係る混合栓は、吐出管１の基端10が、水栓本体２に左右首振り自在に取付けられたものであって、吐出管１は、その先端11を手前へ向けた首振りの基本姿勢において、平面的に見て、基端10寄りの基幹管部15を左右どちらか一方に振ると共に、基幹管部15の先端側が、折曲部12を介して、先端11を手前へ延伸状とした延伸管部16に一体に連設されているものなので、湯・水が流れ出る吐出管１の先端11の下方７と、レバー３の間を、手が真っ直ぐに移動できて、吐出管１の延伸管部16に対し左右に避けなくてもよい。このように、手洗い中に、容易かつスムースにレバー３の操作を行うことができる。
また、吐出管１は非可撓性であってその形状は一定であり、吐出管１をスムースに左右へ首振りすることができると共に、振った位置にて安定して使用できる。
【００１３】
また、本考案に係る混合栓は、吐出管１の基端10が、水栓本体２に左右首振り自在に取付けられたものであって、吐出管１は、その先端11を手前へ向けた首振りの基本姿勢において、中間14から先端11にかけての延伸管部16の軸心Ｌ16が、平面的に見て基端10の回転中心Ｏを通る鉛直面Ｐ0 に対して所定寸法εだけ左右どちらか一方に偏心した鉛直面Ｐ1 上に存在するので、湯・水が流れ出る吐出管１の先端11の下方７と、レバー３の間を、手が真っ直ぐに移動できて、吐出管１の延伸管部16に対し左右に避けなくてもよい。このように、手洗い中に、容易かつスムースにレバー３の操作を行うことができる。
また、吐出管１は非可撓性であってその形状は一定であり、吐出管１をスムースに左右へ首振りすることができると共に、振った位置にて安定して使用できる。
【図面の簡単な説明】
【００１４】
【図１】本考案に係る混合栓の実施の一形態を示す斜視図である。
【図２】平面図である。
【図３】本考案に係る混合栓の他の実施の形態を示した斜視図である。
【図４】平面図である。
【図５】従来の混合栓を示した斜視図である。
【符号の説明】
【００１５】
１  吐出管
２  水栓本体
10  基端
11  先端
12  折曲部
14  中間
15  基幹管部
16  延伸管部
ε  所定寸法
Ｌ16  軸心
Ｏ  回転中心
Ｐ0 ，Ｐ1   鉛直面
【図１】
0003114218.tif 000003
【図２】
0003114218.tif 000004
【図３】
0003114218.tif 000005
【図４】
0003114218.tif 000006
【図５】
0003114218.tif 000007
【手続補正書】
【提出日】平成17年7月7日(2005.7.7)
【手続補正１】
【補正対象書類名】図面
【補正対象項目名】図３
【補正方法】変更
【補正の内容】
【図３】
0003114218.tif 000008